(57)【要約】      （修正有）【課題】遊技場の遊技島に設置する装飾性および視認性の良い機種名表示器が組み込まれた島飾り、又は妻板を提供する。【解決手段】機種名表示器２０には、枠体２２が含まれており、枠体２２に表示窓２１が形成されている。枠体２２は、島飾り本体１２の表面または妻板本体１７の表面に面一状態に組み込まれている。表示窓２１内には、表示窓２１の外から視認可能に、台番号および機種名が表示される。たとえば「１０〜２０」番台には、機種名「ＣＲスーパー○物語ｉｎ○○２」という遊技機が設置されている旨の情報が表示される。枠体２２には出没可能な取手２３が備えられ、取手２３を持って枠体２２前方へ開き、表示窓２１内の表示変更ができる。【選択図】図５
0003159377.tif 000002
【実用新案登録請求の範囲】
【請求項１】
遊技島の端部に設置される島飾りまたは妻板に組み込まれ、その遊技島に設置されている遊技機の機種名を表示するための表示器であって、
島飾りまたは妻板の表面に面一状態に組み込まれ得る枠体と、
前記枠体に形成された表示窓と、
前記表示窓内に着脱可能にセットでき、セット状態において前記表示窓の外から視認可能な少なくとも遊技機の機種名が記載された光透過性を有する表示用媒体と、
前記表示用媒体を裏側から照明するための平面的照明装置と、を含み、
前記枠体は、前記島飾りまたは妻板の表面から飛び出た開成状態に開くことができ、前記枠体が前記開成状態において、前記表示用媒体を前記表示窓から外し、または前記表示窓内にセットできることを特徴とする、遊技機の機種名表示器。
【請求項２】
前記平面的照明装置は、複数個のＬＥＤが配列されたＬＥＤ列光源ユニットと、
前記ＬＥＤ列光源ユニットの発する光を側端面から取り込み、主表面から略均等に出射する導光板と、を含むことを特徴とする、請求項１記載の遊技機の機種名表示器。
【請求項３】
前記平面的照明装置が取り付けられた本体を有し、
前記枠体は、前記本体に対して、ヒンジ結合されており、当該ヒンジ結合部を中心に、前記本体に対して、前記開成状態と、前記枠体が本体表面に面一状態になった開成状態とに回動可能になっていることを特徴とする、遊技機の機種名表示器。
【請求項４】
請求項１〜３のいずれかに記載の機種名表示器が、外表面上方左右両側に組み込まれており、遊技島に配置された遊技機の機種名を表示できるようにしたことを特徴とする遊技島用の妻板。
【請求項５】
請求項１〜３のいずれかに記載の機種名表示器が、外表面上方左右両側、および、側面上方部の少なくともいずれかに組み込まれていて、遊技島に配置された遊技機の機種名を表示できるようにしたことを特徴とする遊戯島用の島飾り。
【考案の詳細な説明】
【技術分野】
【０００１】
この考案は、遊技場に設置されている複数台の遊技機により構成される遊技島の端部に設置され、遊技島の端部を装飾する役割をする島飾りまたは妻板と称される島端設備に関する。特に、島飾りまたは妻板に組み込まれて、遊技島に設置された遊技機の機種名を装飾効果をもって表示する遊技機の機種名表示器に関する。
【背景技術】
【０００２】
遊技場においては、複数台の遊技機が遊技島と称される配置状態に区分けして設置されている。各遊技島の端部には、一端側に縦長直方体状の島飾りと称される箱状設備が設けられる。また、他端側には縦長長方形状の妻板と称される装飾板が取り付けられる。
通常、島飾りや妻板には、その遊技島に設置された遊技機の機種名や、台番号と称される遊技機の位置を表わす番号を表示する表示器が取付けられる。
【０００３】
従来の島飾りや妻板に取付けられる表示器は、単なる表示板にすぎず、電気的に発光したりすることのない地味な表示板であった。
また、特許文献１には、視認効果、装飾効果を向上させた機種名表示器が開示されている。この機種名表示器は、島飾りや妻板に取付ける型式で、
島飾りや妻板表面に積層する状態で取付けられる。
【先行技術文献】
【特許文献】
【０００４】
【特許文献１】特開２００８−２７９００５号公報
【考案の概要】
【考案が解決しようとする課題】
【０００５】
島飾りや妻板は、遊技島の端部に設置されており、遊技場内では地味な部材である。島飾りや妻板は遊技島を構成する遊技機の機種名および台番号を表示する機種名表示板を取り付けるには格好の部材であり、従来、島飾りや妻板の表面に機種名表示器が取り付けられていた。当然のことながら、機種名表示器は、島飾りの表面や妻板表面から突出した状態（積層状態）で取り付けられており、島飾りを装飾したり、妻板を装飾したりする装飾機能的な要素はなかった。
【０００６】
このため、島飾りまたは妻板と一体化され、島飾りや妻板の表面から突出せず、島飾りや妻板を装飾しつつ、その遊技島に配置された遊技機の機種名および台番号をわかり易くかつ美的に表示できる機種名表示器が望まれていた。
この考案は、このような背景のもとになされたもので、島飾りや妻板に良好に組み込むことができ、島飾りや妻板の装飾効果を向上させ、しかも遊技島に設置された遊技機の機種名を良好に表示することのできる機種名表示器を提供することを主たる目的とする。
【０００７】
この考案は、また、上述のような装飾性および視認性の良い機種名表示器が組み込まれた島飾りや妻板を提供することを他の目的とする。
【課題を解決するための手段】
【０００８】
上記課題は、実用新案登録請求の範囲に記載の考案によって解決される。
本願の請求項１記載の考案は、遊技島の端部に設置される島飾りまたは妻板に組み込まれ、その遊技島に設置されている遊技機の機種名を表示するための表示器であって、島飾りまたは妻板の表面に面一状態に組み込まれ得る枠体と、前記枠体に形成された表示窓と、前記表示窓内に着脱可能にセットでき、セット状態において前記表示窓の外から視認可能な少なくとも遊技機の機種名が記載された光透過性を有する表示用媒体と、前記表示用媒体を裏側から照明するための平面的照明装置と、を含み、前記枠体は、前記島飾りまたは妻板の表面から飛び出た開成状態に開くことができ、前記枠体が前記開成状態において、前記表示用媒体を前記表示窓から外し、または前記表示窓内にセットできることを特徴とする、遊技機の機種名表示器である。
【０００９】
請求項２記載の考案は、前記平面的照明装置は、複数個のＬＥＤが配列されたＬＥＤ列光源ユニットと、前記ＬＥＤ列光源ユニットの発する光を側端面から取り込み、主表面から略均等に出射する導光板と、を含むことを特徴とする、請求項１記載の遊技機の機種名表示器である。
請求項３記載の考案は、前記平面的照明装置が取り付けられた本体を有し、前記枠体は、前記本体に対して、ヒンジ結合されており、当該ヒンジ結合部を中心に、前記本体に対して、前記開成状態と、前記枠体か本体表面に面一状態になった開成状態とに回動可能になっていることを特徴とする、遊技機の機種名表示器である。
【００１０】
請求項４記載の考案は、請求項１〜３のいずれかに記載の機種名表示器が、外表面上方左右両側に組み込まれており、遊技島に配置された遊技機の機種名を表示できるようにしたことを特徴とする遊技島用の妻板である。
請求項５記載の考案は、請求項１〜３のいずれかに記載の機種名表示器が、外表面上方左右両側、および、側面上方部の少なくともいずれかに組み込まれていて、遊技島に配置された遊技機の機種名を表示できるようにしたことを特徴とする遊戯島用の島飾りである。
【考案の効果】
【００１１】
この考案によれば、遊技島に設けられた遊技機の機種名を良好に表示するための機種名表示器を提供することができる。特に、島飾りや妻板に組み込んで島飾りや妻板と一体化して装飾効果が高く、しかも機種名表示が良好に行える機種名表示器を提供することができる。また、かかる機種名表示器が組み込まれた島飾りや妻板を提供することができる。
【図面の簡単な説明】
【００１２】
【図１】遊技島の一端部の斜視図であり、この考案の一実施形態に係る機種名表示器１０が備えられた状態を示す図である。
【図２】遊技島２の他端の構成例を表わす斜視図である。
【図３】この考案の一実施形態に係る島飾りの正面図（Ａ）および右側面図（Ｂ）である。
【図４】機種名表示器２０が組み込まれた妻板１５の正面図（図４（Ａ）および右側面図（図４（Ｂ））である。
【図５】島飾り１０および妻板１５に組み込まれた機種名表示器２０の正面図である。
【図６】図５に示す枠体２２が閉じた状態から、枠体２２を前方へ回動させ、略１８０°開いた開成状態の正面図である。
【図７】機種名表示器２０による機種名表示の様子を説明するための図解的な縦断面図である。
【考案を実施するための形態】
【００１３】
以下には、図面を参照して、この考案の実施形態について具体的に説明をする。
図１は、遊技島の一端部の斜視図であり、この考案の一実施形態に係る機種名表示器１０が備えられた状態が示されている。
図１を参照して、遊技場においては、通常、複数台の遊技機（パチンコ機やパチスロ機等）１が隣接して配列され、かつ、複数台の遊技機１は背中合わせに配列されて、遊技島２が構成されている。遊技島２の一端には、島飾り１０が備えられている。島飾り１０は、全体形状が、たとえば縦長の略直方体の箱形をしており、必要に応じて扉４が備えられ、扉４を開閉することにより、その内部の空間に物を収容できる。また、島飾り１０には、たとえば直線状のＬＥＤ表示器５等が備えられていることもある。
【００１４】
この考案の一実施形態に係る機種名表示器２０は、たとえば島飾り１０の側面上方に取り付けられている。図示では、島飾り３の右側面上方に取り付けられた機種名表示器２０が現れているが、図に現れていない左側面にも、同様に、機種名表示器２０が取り付けられている。機種名表示器２０の取付位置は、図示のように島飾り１０の側面上方に限らず、島飾り１０の正面側（図において扉４が設けられた面）のたとえば上方左右両側に取り付けられていてもよい。
【００１５】
なお、図１において、７は遊技機１の上方に取り付けられた幕板である。
図２は、遊技島２の他端の構成例を表わす斜視図である。図２においても、１は遊技機、２は遊技島、７は幕板を表わしている。遊技島２の他端には、図２に示すように、縦長長方形の板状の妻板１５が取り付けられることが多い。図２では、妻板１５に、この考案の実施形態に係る機種名表示器２０が取り付けられた例が示されている。
【００１６】
図１および図２から理解できるように、機種名表示器２０は、遊技島２の端部に設けられた島飾り１０または妻板１５に組み込まれていて、遊技島２に含まれる複数台の遊技機の台番号および機種名を表示するものである。
図３は、この考案の一実施形態に係る島飾りの正面図（Ａ）および右側面図（Ｂ）を示す。島飾り１０は、図３Ａに示すように、正面視が縦長長方形状で、図３Ｂに示すように、側面視は所定の幅を有する直方体形状をしている。島飾り１０は、下端部に備えられた台枠１１と、台枠１１の上に設けられた箱状本体１２を含んでいる。本体１２の正面の上方左右両側に、左右両側縁に沿うように機種名表示器２０が組み込まれている。
機種名表示器２０は、この実施例では、正面視が縦長形状であり、縦長の表示窓２１を有している。
【００１７】
なお、図３において、１３は、遊技島を構成する遊技機において遊技者が呼び出し操作等をした時に点灯する呼び出しランプである。
図４は、機種名表示器２０が組み込まれた妻板１５の正面図（図４（Ａ）および右側面図（図４（Ｂ））である。妻板１５は、正面視が縦長長方形状で、相対的に薄い板状の部材である。妻板１５は、その底部に台枠１６を有し、台枠１６の上部に本体１７が連結されている。機種名表示器２０は本体１７の正面側の上方左右両側に、左右対称に、左右両側辺に沿って組み込まれている。機種名表示器２０の構成は、図３で説明した島飾り１０に組み込まれた機種名表示器２０と同様であり、縦長の表示窓２１を有している。
【００１８】
なお、図４においても、１８は呼び出しランプである。
図５は、島飾り１０および妻板１５に組み込まれた機種名表示器２０の正面図である。機種名表示器２０には、枠体２２が含まれており、枠体２２に表示窓２１が形成されている。枠体２２は、島飾り本体１２の表面または妻板本体１７の表面に面一状態に組み込まれている。つまり、枠体２２は、本体表面１２（１７）と面一で、本体表面１２（１７）から突出したり窪んだりしておらず、本体表面１２（１７）と一体感を有する態様で組み込まれている。
【００１９】
表示窓２１内には、表示窓２１の外から視認可能に、台番号および機種名が表示される。たとえば「１０〜２０」番台には、機種名「ＣＲスーパー○物語ｉｎ○○２」という遊技機が設置されている旨の情報が表示される。
枠体２２のたとえば右側枠の上下方向中央部に、入出可能な取手２３が備えられているのが望ましい。取手２３は、たとえばその上端を軽く押すことにより下部が突出する。その突出部を持って前方に引っ張ることにより、枠体２２全体が左端縁部を中心に前方に回動して、本体表面１２（１７）から前方へ開く構成である。
【００２０】
図６は、図５に示す枠体２２が閉じた状態から、枠体２２を前方へ回動させ、略１８０°開いた開成状態の正面図である。機種名表示器２０は、島飾り本体１２または妻板本体１７と一体化された本体２４を有する。そして枠体２２は、本体２４に対してたとえば２つのヒンジ部材２５によってヒンジ結合されている。その結果、枠体２２は、ヒンジ部材２５を中心に、本体２４に対して、図６に示す開成状態に開くことができる。また、図５に示す本体表面１２（１７）と面一状態になった閉成状態に閉じることができる。
【００２１】
枠体２２を開いた開成状態において、表示窓２１の内側（図６において手前側）には、表示用シート２６がセットされている。表示用シート２６は、たとえば長方形状の薄いシート状またはフィルム状の表示用媒体であり、その表面に文字や図柄等を記載することができるものである。あるいは、表示用シート２６に機種名を表わす名称や図柄が印刷されたものである。表示用シート２６は、光透過性を有する材料、たとえば透明または半透明の樹脂シート等で構成されている。そしてこの実施形態では、表示用シート２６を表示窓２１の内側にセットし、止め具２７により表示窓２１に対して位置決めして取り付けられるようになっている。表示用シート２６の表示窓２１へのセットの仕方は、上記止め具２７を用いるやり方に代えて、表示窓２１の内側左右両辺沿いに上下に延びるレールを設け、そのレールに表示用シート２６の左右両辺をスライドさせて嵌めるようなセットの仕方でもよい。
【００２２】
一方、枠体２２を回動可能に支持する本体２４には、平面的照明装置２８が設けられている。本体２４には、本体表面１２（１７）から一段凹んだ凹部が形成されており、その凹部にさらに平面的照明装置２８を取り付けるための窪みが形成されている。そしてその窪みに奥半分が収まるような状態で、平面的照明装置２８が組み込まれている。
平面的照明装置２８は、左右両側に、上下方向に延びる複数個のＬＥＤが配列されたＬＥＤ列光源ユニット２９を含んでいる。かかるＬＥＤ列光源ユニット２９は、多数個（この実施形態ではたとえば２５〜３０個）のＬＥＤが基板上に直線状に配列されたユニットである。このＬＥＤ列光源ユニット２９の発する光は、導光板の端面（側面）から導光板内に取り込まれ、導光板の主表面から正面方向へ略均等に出射される。導光板は、正面視が縦長長方形状で、その裏面側（図６において奥側）に反射加工が施されている。よって、導光板に左右両側面からＬＥＤ列光源ユニット２９の光が入射すると、その入射した光は反射加工部により正面側へ反射され、主表面全体が略均一な輝度で発光するものである。
【００２３】
図７は、機種名表示器２０による機種名表示の様子を説明するための図解的な縦断面図である。図７を参照して、ＬＥＤ列光源ユニット２９から照射される光は導光板３０へ入射され、導光板３０の表面から前方へ略均一な光として出射される。出射される光は表示用シートを透過し、表示用シートに記載または印刷されている機種名や台番号などを効果的に輝かせ、視覚効果よく光らせる。枠体２２に形成された表示窓２１は、枠体２２から窪んでおり、その中にセットされた表示窓２１が光るので、本体表面１２（１７）と面一状態になった枠体２２、表示窓２１がデザイン性に優れた状態で、良好な機種名表示を実現する。
【００２４】
上記実施形態では、枠体２２は、本体２４に対してヒンジ結合されており、ヒンジ部材２５を中心に、本体２４に対して開閉する旨説明したが、枠体と本体との結合は、ヒンジ結合に限らない。要は、枠体が、本体（本体表面）と面一の閉じた状態と、本体（本体表面）から浮き上がり、表示窓への表示用シートの着脱が可能な開いた状態とに変位可能な構成であればよい。
【００２５】
その他、この考案は、実用新案登録請求の範囲に記載の内容の範囲内で、種々の変更が可能である。
【符号の説明】
【００２６】
１  遊技機（パチンコ機やパチスロ機等）
２  遊技島
１０  島飾り
１１  台枠
１２  本体
１５  妻板
１６  台枠
１７  本体
２０  機種名表示器
２１  表示窓
２２  枠体
２３  入出可能な取手
２４  本体
２５  ヒンジ部材
２６  表示用シート
２７  止め具
２８  平面的照明装置
２９  ＬＥＤ列光源ユニット
３０  導光板
【図１】
0003159377.tif 000003
【図２】
0003159377.tif 000004
【図３】
0003159377.tif 000005
【図４】
0003159377.tif 000006
【図５】
0003159377.tif 000007
【図６】
0003159377.tif 000008
【図７】
0003159377.tif 000009
【手続補正書】
【提出日】平成22年3月8日(2010.3.8)
【手続補正１】
【補正対象書類名】明細書
【補正対象項目名】０００９
【補正方法】変更
【補正の内容】
【０００９】
請求項２記載の考案は、前記平面的照明装置は、複数個のＬＥＤが配列されたＬＥＤ列光源ユニットと、前記ＬＥＤ列光源ユニットの発する光を側端面から取り込み、主表面から略均等に出射する導光板と、を含むことを特徴とする、請求項１記載の遊技機の機種名表示器である。
請求項３記載の考案は、前記平面的照明装置が取り付けられた本体を有し、前記枠体は、前記本体に対して、ヒンジ結合されており、当該ヒンジ結合部を中心に、前記本体に対して、前記開成状態と、前記枠体か本体表面に面一状態になった開成状態とに回動可能になっていることを特徴とする、請求項２記載の遊技機の機種名表示器である。
【手続補正２】
【補正対象書類名】実用新案登録請求の範囲
【補正対象項目名】全文
【補正方法】変更
【補正の内容】
【実用新案登録請求の範囲】
【請求項１】
遊技島の端部に設置される島飾りまたは妻板に組み込まれ、その遊技島に設置されている遊技機の機種名を表示するための表示器であって、
島飾りまたは妻板の表面に面一状態に組み込まれ得る枠体と、
前記枠体に形成された表示窓と、
前記表示窓内に着脱可能にセットでき、セット状態において前記表示窓の外から視認可能な少なくとも遊技機の機種名が記載された光透過性を有する表示用媒体と、
前記表示用媒体を裏側から照明するための平面的照明装置と、を含み、
前記枠体は、前記島飾りまたは妻板の表面から飛び出た開成状態に開くことができ、前記枠体が前記開成状態において、前記表示用媒体を前記表示窓から外し、または前記表示窓内にセットできることを特徴とする、遊技機の機種名表示器。
【請求項２】
前記平面的照明装置は、複数個のＬＥＤが配列されたＬＥＤ列光源ユニットと、
前記ＬＥＤ列光源ユニットの発する光を側端面から取り込み、主表面から略均等に出射する導光板と、を含むことを特徴とする、請求項１記載の遊技機の機種名表示器。
【請求項３】
前記平面的照明装置が取り付けられた本体を有し、
前記枠体は、前記本体に対して、ヒンジ結合されており、当該ヒンジ結合部を中心に、前記本体に対して、前記開成状態と、前記枠体が本体表面に面一状態になった開成状態とに回動可能になっていることを特徴とする、請求項２記載の遊技機の機種名表示器。
【請求項４】
請求項１〜３のいずれかに記載の機種名表示器が、外表面上方左右両側に組み込まれており、遊技島に配置された遊技機の機種名を表示できるようにしたことを特徴とする遊技島用の妻板。
【請求項５】
請求項１〜３のいずれかに記載の機種名表示器が、外表面上方左右両側、および、側面上方部の少なくともいずれかに組み込まれていて、遊技島に配置された遊技機の機種名を表示できるようにしたことを特徴とする遊戯島用の島飾り。